(57)【要約】【課題】床を支持する受材の取付位置を容易に変更調整できる壁パネル、床の支持構造および支持方法を提供する。【解決手段】壁パネル１０の内部に、受材３０の取付位置の上下範囲に対応する長さを有し、前記受材３０を固定するための縦桟埋木１６を設け、この縦桟埋木１６の上下方向の所望の位置に、受材３０を固定することによって、受材３０の取付位置を容易に変更調整できる。【選択図】図３
2005054462.tif 000002
【特許請求の範囲】
【請求項１】
壁面に取付けられた受材に床の端部が設置されることで、この床の端部を支持する壁パネルであって、
内部に、前記受材の取付位置の上下範囲に対応する長さを有し、前記受材を固定するための縦桟埋木が設けられていることを特徴とする壁パネル。
【請求項２】
請求項１に記載の壁パネルにおいて、
前記縦桟埋木が、複数平行に配置されていることを特徴とする壁パネル。
【請求項３】
請求項１または２に記載の壁パネルに床が支持されてなる床の支持構造であって、
前記壁パネルの縦桟埋木には、上下方向の所望の位置に受材が水平に固定されており、この受材に前記床の端部が設置されることで、前記床が支持されていることを特徴とする床の支持構造。
【請求項４】
請求項３に記載の床の支持構造において、
前記床の下面と、前記壁パネルの下端との間の距離が、９０〜１６０ｃｍであることを特徴とする床の支持構造。
【請求項５】
請求項１または２に記載の壁パネルに床を支持する床の支持方法であって、
前記壁パネルの縦桟埋木の上下方向の所望の位置に受材を水平に固定しておき、
次に、この受材に床の端部を設置することによって、前記床を支持することを特徴とする床の支持方法。
【発明の詳細な説明】
【技術分野】
【０００１】
本発明は、住宅等の建物を構築する際に使用される壁パネル、この壁パネルに床を支持する床の支持構造および支持方法に関する。
【背景技術】
【０００２】
壁パネルの内壁面に床パネルの端部を支持する技術の一つとして特許文献１に記載のものが知られている。この技術は、壁パネルの内部に補強材が設けられ、床受け材が上記床パネルの下側で上記補強材に支持されて、上記壁パネルの内壁面に固着され、上記床受け材の上面の床支持部に、上記床パネルの上記端部が載置され固着されて、上記床パネルが上記壁パネルに接合されたものである。
【０００３】
また、図４に示すように、２階床１の上方に、この床１より１．２メートル程度高い床（サブ床）２を設けることにより、このサブ床２と２階床１との間に、収納所３を設ける場合がある。このような場合、図５に示すような壁パネル５の内部に埋木６を設けておき、この埋木６に第６図に示すように受材７を釘打ち等によって固定し、さらにこの固定した受材７に床パネル８の端部を設置することによって、床パネル８を支持している。なお、壁パネル５は、縦框材５ａと横框材５ｂとを矩形枠状に組立てて矩形枠を形成し、この矩形枠の内側に縦横に補強桟材５ｃ，５ｄを組み付け、さらに矩形枠の表裏両面に合板等からなる面材５ｅを取付けたものである。床パネルを支持する場合、上述した特許文献１に記載の技術を使用することもできる。
【特許文献１】特開平１０−２８０５５１号公報
【発明の開示】
【発明が解決しようとする課題】
【０００４】
ところで、上記のように上下の床間に収納所を設ける場合、収納所の高さを施主の要望等によって変更する場合ある。このような場合、床（床パネル）を支持する受材を固定する埋木の位置を上下に変更することになる。通常、パネル工法等においては壁パネル等の部材は規格化されており、埋木の位置も決まっている。したがって、埋木の位置を変更する場合、埋木の取付位置を変えた複数種類の壁パネルを用意しておく必要があるため、用意しておく部品点数が増加してしまうという問題がある。また、複数種類の壁パネルを用意することなく、そのときに応じて埋木の取付位置を工場等において変更することもできるが、この場合、工場のラインを組み直したり、埋木の位置をそのときどきに応じて決定しなければならないので非常に手間のかかる作業となる。
【０００５】
本発明は上記事情に鑑みてなされたものであり、床を支持する受材の取付位置を容易に変更調整できる壁パネル、床の支持構造および支持方法を提供することを課題としている。
【課題を解決するための手段】
【０００６】
上記課題を解決するために、請求項１に記載の発明は、例えば図１〜図３に示すように、壁面１０ａに取付けられた受材３０に床２８の端部が設置されることで、この床２８の端部を支持する壁パネル１０であって、
内部に、前記受材３０の取付位置の上下範囲に対応する長さを有し、前記受材３０を固定するための縦桟埋木１６が設けられていることを特徴とする。
【０００７】
したがって、この縦桟埋木１６の上下方向の所望の位置に、受材３０を固定することによって、受材３０の取付位置を容易に変更調整できる。
【０００８】
ここで、前記壁パネル１０としては、例えば、パネル工法に使用するものが挙げられる。この壁パネル１０は、例えば、框材１１，１２を縦横に組立てることによって矩形枠を形成し、この矩形枠に縦横に補強桟材１３，１４を組み付けるとともに、矩形枠の両面に合板等からなる面材１５を取付けたものである。また、壁パネルとしては、パネル工法によるものに限らず、ツーバイフォー工法による壁パネルでもよい。
【０００９】
請求項２に記載の発明は、請求項１に記載の壁パネルにおいて、
前記縦桟埋木１６が、複数平行に配置されていることを特徴とする。
【００１０】
このように縦桟埋木１６が複数配置されているので、受材３０を所望の位置により強固に固定できる。
【００１１】
請求項３に記載の発明は、請求項１または２に記載の壁パネル１０に床２８が支持されてなる床の支持構造であって、
前記壁パネル１０の縦桟埋木１６には、上下方向の所望の位置に受材３０が水平に固定されており、この受材３０に床２８の端部が設置されることで、前記床２８が支持されていることを特徴とする。
【００１２】
したがって、この縦桟埋木１６の上下方向の所望の位置に、受材３０を固定することによって、受材３０の取付位置を容易に変更調整でき、よって、この受材３０に床２８の端部を設置することによって、床２８の支持位置を容易に変更調整できる。
【００１３】
請求項４に記載の発明は、請求項３に記載の床の支持構造において、
前記床２８の下面と、前記壁パネル１０の下端との間の距離が、９０〜１６０ｃｍであることを特徴とする。
【００１４】
このように、床２８の下面と壁パネル１０の下端との間の距離が、９０〜１６０ｃｍであるので、この床２８と、壁パネル１０が設置されている床２３との間の距離が、９０〜１６０ｃｍとなり、この空間を収納所３２として有効に利用できる。
なお、床２８の下面と壁パネル１０の下端との間の距離は、９０〜１６０ｃｍであるが、１００〜１４０ｃｍに設定するのがより望ましい。
【００１５】
請求項５に記載の発明は、請求項１または２に記載の壁パネル１０に床２８を支持する床の支持方法であって、
前記壁パネル１０の縦桟埋木１６の上下方向の所望の位置に受材３０を水平に固定しておき、
次に、この受材３０に床２８の端部を設置することによって、前記床２８を支持することを特徴とする。
【００１６】
縦桟埋木１６の上下方向の所望の位置に受材３０を水平に固定することによって、受材３０の取付位置を容易に変更調整でき、そして、この受材３０に床２８の端部を設置することによって、床２８の支持位置を容易に変更調整できる。
【発明の効果】
【００１７】
請求項１に記載の発明によれば、縦桟埋木の上下方向の所望の位置に、受材を固定することによって、受材の取付位置を容易に変更調整できる。
【００１８】
請求項２に記載の発明によれば、縦桟埋木が複数配置されているので、受材を所望の位置により強固に固定できる。
【００１９】
請求項３および５に記載の発明によれば、縦桟埋木の上下方向の所望の位置に、受材を固定することによって、受材の取付位置を容易に変更調整できる。そして、この受材に床の端部を設置するので、床の支持位置を容易に変更調整できる。
【００２０】
請求項４に記載の発明によれば、壁パネルに支持されている床と、壁パネルが設置されている床との間の距離が、９０〜１６０ｃｍとなるので、この空間を収納所として有効に利用できる。
【発明を実施するための最良の形態】
【００２１】
以下、図面を参照して本発明を実施するための最良の形態について説明する。
図１は、本発明に係る壁パネルの一例を示すものである。壁パネル１０は、縦框材１１，１１と横框材１２，１２とを縦横に組立てて矩形状の矩形枠を形成し、この矩形枠の内部に縦桟材１３と、横桟材１４とを縦横に組み付け、さらに、矩形枠の両面に合板等からなる面材１５，１５を設けて構成されている。
【００２２】
さらに、壁パネル１０の内部には、２本の縦桟埋木１６，１６が設けられている。すなわち、前記上下の横桟材１４，１４間に、縦桟埋木１６，１６が上下に向けて、かつ、互いに平行になるようにして配置されており、これら縦桟埋木１６，１６の上下端部はそれぞれ横桟材１４，１４に固定されている。また、縦桟材１６は、縦框材１１と縦桟材１３の間の中央部に配置されている。
前記縦桟埋木１６は、この縦桟埋木１６に固定される受材の取付位置の上下の範囲に対応する長さを有している。受材の取付位置は、例えば、壁パネル１０の下端からの距離によって設定されている。
【００２３】
次に、前記壁パネル１０を用いた本発明に係る床の支持構造について説明する。図２は本発明に係る床の支持構造を備えた建物の要部の縦断面図である。
図２に示すように、建物は、１階と２階との間に蔵階を備えた構成となっている。蔵階とは、収納室である蔵Ｋを備えた階のことであり、高さは約１．４メートル（１４０ｃｍ）程度となっている。
【００２４】
１階は以下のような構成となっている。すなわち、基礎１８に床パネルが複数設置されることによって、１階床２０が形成されている。この床パネル２０上には１階壁２１が立設されている。この１階壁２１は、複数の壁パネルを連結することによって構成されたものである。壁パネルは、框材を矩形枠状に組立て、この矩形枠の内部に縦横に補強桟材を組み付け、さらに矩形枠の表裏両面にそれぞれ合板等の面材を取り付けたものである。このような壁パネルによって構成された１階壁２１の表面には、図示しない防水透湿シートが取り付けられたうえで、胴縁を介して外装材２２が取り付けられている。この外装材２２は１階壁２１の表面に工場等によって予め取り付けられたものである。なお、外装材２２は現場で１階壁２１に取り付けてもよい。
【００２５】
蔵階および２階は以下のような構成となっている。すなわち、前記１階壁２１の上端面には、蔵階床２３が固定されている。この蔵階床２３は、複数の床パネルを連結することによって構成されたものである。床パネルは、框材を矩形枠状に組立て、この矩形枠の上面に合板等の面材を取り付けたものである。
【００２６】
前記蔵階床２３には、２階壁２４が固定されている。この２階壁２４は、複数の壁パネルを連結することによって構成されたものである。この２階壁２４を構成する壁パネルとして前記壁パネル１０が使用されている。このような壁パネル１０によって構成された２階壁２４の表面には、図示しない防水透湿シートが取り付けられたうえで、胴縁を介して外装材２５が取り付けられている。この外装材２５は２階壁２４の表面に工場等によって予め取り付けられたものである。なお、外装材２５は現場で２階壁２４に取り付けてもよい。
【００２７】
前記蔵階床２３は１階壁２１と２階壁２４に挟まれており、これら壁２１、２４の双方に接着や釘打ちによって固定されている。また、壁２１、２４は蔵階床２３の端部を貫通する胴差ボルト（図示略）によって締結され、これによっても床パネル２３は上下の壁２１、２４の双方に固定されている。
また、１階壁２１と２階壁２４とは上下の長さが等しくなっており、２階壁２４の上端面には、受材２６が固定され、複数の屋根パネルによって構成された屋根２７の軒先部が受材２６によって支持されている。
また、２階の壁、すなわち、２階壁２４から蔵階の壁を除いた壁の高さは１階壁２１より低くなっているが、２階の天井は、屋根の勾配に沿った勾配天井となっている。したがって、蔵階床２３上の２階部分は、勾配天井の分上下の高さが確保されている。
【００２８】
さらに、２階壁２４の側面には、以下のようにして２階床が２８が支持されている。以下が、本発明に係る床の支持構造である。
すなわちまず、２階壁２４は、複数枚の前記壁パネル１０…を横方向に接合することによって構成されている。そして、この壁パネル１０の内壁面１０ａには、図３に示すように、受材３０が水平に当接されており、釘等の止着材３１，３１によって固定されている。つまり、受材３０は、縦桟埋木１６の上下方向の所定の位置に対応して、面材１５に当接されており、受材３０から面材１５を貫通して縦桟埋木１６まで止着材３１，３１を打ち込むことによって、壁パネル１０に固定されている。受材３０は、複数の壁パネル３０を接合するこによって構成された壁の幅方向に亙って固定されている。
【００２９】
そして、前記受材３０には、２階床２８の端部が設置固定されており、これによって、２階床２８を２階壁２４の側面に容易かつ確実に固定して、この壁２４によって確実に支持できる。
２階床２８は、複数の床パネルを連結することによって構成されている。この床パネルは框材を矩形枠状に組立て、この矩形枠の上面に合板等の面材を取り付けてなるもので、これら床パネルによって構成された２階床２８の下面には天井材３６が取り付けられている。
なお、床２８の他方の端部は、上記のような壁パネル１０によって構成された内壁や外壁によって同様に支持されている。
【００３０】
壁２４によって床２８を支持する場合、まず、壁パネル１０を複数接合するとともに、これら壁パネル１０を床２３上に立設固定して、壁２４を形成する。そして、この壁２４を構成する壁パネル１０の縦桟埋木１６の上下方向の所望の位置に受材３０を水平に固定しておき、次に、この受材３０に床２８の端部を設置する。床２８は複数の床パネルを接合することによって形成する。
床２８の上下の位置を変更調整する場合は、受材３０の取付位置を縦桟埋木１６の上下の長さの範囲内で変更調整して、該縦桟埋木１６に固定し、その後、該縦桟埋木１６に固定された受材３０に床２８の端部を設置して固定する。
【００３１】
また、図２に示すように、床２８の下面と、壁パネル１０の下端との間の距離は１４０ｃｍ程度となっており、この距離（高さ）を利用して、床２８と床２３との間に蔵型の収納所３２が設けられている。この収納所３２には、１階から２階に至る階段（図示略）の踊り場から行き来できるようになっている。
また、床２８には、この床２８を上下に貫通する開口部２８ａが形成されており、この開口部２８ａは図示しない蓋によって開閉可能となっている。また、開口部２８ａと蔵階床２３との間には階段３７が設けられており、この階段３７を通って２階から収納所３２に出入りできるようになっている。
【００３２】
本実施の形態によれば、壁２４を構成する壁パネル１０の内部に設けられた縦桟埋木１６の上下方向の所望の位置に、受材３０を固定することによって、受材３０の取付位置を容易に変更調整できる。そして、この受材３０に床２８の端部を設置することによって、床２８の支持位置を容易に変更調整できる。
また、壁パネル１０内には２本の縦桟埋木１６，１６が設けられているので、受材３０を所望の位置により強固に固定できる。
さらに、床２８の下面と壁パネル１０の下端との間の距離が、１４０ｃｍであるので、この床２８と、壁パネル１０が設置されている床２３との間の距離が１４０ｃｍとなり、この空間を収納所３２として有効に利用できる。
【００３３】
なお、本実施の形態では、２階壁２４に受材３０を固定したが、受材３０を１階壁２１に固定し、この受材３０に床２８を固定して支持させるようにしてもよい。この場合、床２３と床２８との間に蔵（収納室）Ｋを有する蔵階が形成される。
【図面の簡単な説明】
【００３４】
【図１】本発明に係る壁パネルの一例を示すもので、壁パネルの内部を示す正面図である。
【図２】本発明に係る床の支持構造を備えた建物の要部を示す縦断面図である。
【図３】図３におけるＸ円部の拡大図である。
【図４】従来の床の支持構造を備えた建物の概略を示す図である。
【図５】従来の壁パネルの一例を示すもので、壁パネルの内部を示す正面図である。
【図６】従来の床の支持構造の要部を示す断面図である。
【符号の説明】
【００３５】
１０  壁パネル
１０ａ  壁面
１６  縦桟埋木
２８  床
３０  受材
【図１】
2005054462.tif 000003
【図２】
2005054462.tif 000004
【図３】
2005054462.tif 000005
【図４】
2005054462.tif 000006
【図５】
2005054462.tif 000007
【図６】
2005054462.tif 000008